(57)【要約】【課題】個人認証機能として追加される指紋センサを備えたウェアラブル端末を小型化および軽量化することができる電子機器、方法、およびプログラムを提供する。【解決手段】実施形態の電子機器は、検出部と、制御部と、を備える。検出部は、ユーザの指紋を検出する。制御部は、検出部により検出した指紋が登録された複数の指紋のうち一の指紋である第１指紋と一致する場合、第１指紋に対応する機能である第１機能を実行し、検出部により検出した指紋が第１指紋と異なる第２指紋と一致する場合、第２指紋に対応しかつ第１機能とは異なる機能である第２機能を実行する。【選択図】図１
2016012225.tif 000002
【特許請求の範囲】
【請求項１】
ユーザの指紋を検出する検出部と、
前記検出部により検出した指紋が登録された複数の指紋のうち一の指紋である第１指紋と一致する場合、前記第１指紋に対応する機能である第１機能を実行し、前記検出部により検出した指紋が前記第１指紋と異なる第２指紋と一致する場合、前記第２指紋に対応しかつ前記第１機能とは異なる機能である第２機能を実行する制御部と、
を備えた電子機器。
【請求項２】
前記制御部は、前記検出部により検出した指紋が前記登録された複数の指紋のいずれかと一致するか否かによりユーザの認証を実行し、
前記検出部により検出した指紋が前記第１指紋と一致してユーザの認証に成功した場合、ユーザの認証処理に続いて前記第１機能を実行し、
前記検出部により検出した指紋が前記第２指紋と一致してユーザの認証に成功した場合、ユーザの認証処理に続いて前記第２機能を実行し、
ユーザの認証を行っていない場合またはユーザの認証に失敗した場合、前記第１機能および前記第２機能の少なくとも一方の実行を制限する請求項１に記載の電子機器。
【請求項３】
前記制御部は、ユーザの認証に成功した場合、前記第１機能および前記第２機能の実行に先立って、前記登録された複数の指紋のうち、前記検出部により検出されかつユーザの認証に用いた指紋と一致する指紋に対応する機能を実行する請求項１または２に記載の電子機器。
【請求項４】
前記制御部は、前記登録された複数の指紋それぞれに対応する機能として、前記登録された複数の機能それぞれに異なる機能を設定する請求項１から３のいずれか一に記載の電子機器。
【請求項５】
前記制御部は、前記検出部により検出した指紋が前記登録された複数の指紋のいずれにも一致しなかった場合、予め設定された機能を実行する請求項１から４のいずれか一に記載の電子機器。
【請求項６】
ユーザの指紋を検出する検出部を備えた電子機器で実行される方法であって、
前記検出部により検出した指紋が登録された複数の指紋のうち一の指紋である第１指紋と一致する場合、前記第１指紋に対応する機能である第１機能を実行し、
前記検出部により検出した指紋が前記第１指紋と異なる第２指紋と一致する場合、前記第２指紋に対応しかつ前記第１機能とは異なる機能である第２機能を実行する、
ことを含む方法。
【請求項７】
前記検出部により検出した指紋が前記登録された複数の指紋のいずれかと一致するか否かによりユーザの認証を実行し、
前記検出部により検出した指紋が前記第１指紋と一致してユーザの認証に成功した場合、ユーザの認証処理に続いて前記第１機能を実行し、
前記検出部により検出した指紋が前記第２指紋と一致してユーザの認証に成功した場合、ユーザの認証処理に続いて前記第２機能を実行し、
ユーザの認証を行っていない場合またはユーザの認証に失敗した場合、前記第１機能および前記第２機能の少なくとも一方の実行を制限する、
ことを含む請求項６に記載の方法。
【請求項８】
ユーザの認証に成功した場合、前記第１機能および前記第２機能の実行に先立って、前記登録された複数の指紋のうち、前記検出部により検出されかつユーザの認証に用いた指紋と一致する指紋に対応する機能を実行する請求項６または７に記載の方法。
【請求項９】
前記登録された複数の指紋それぞれに対応する機能として、前記登録された複数の機能それぞれに異なる機能を設定する請求項６から８のいずれか一に記載の方法。
【請求項１０】
前記検出部により検出した指紋が前記登録された複数の指紋のいずれにも一致しなかった場合、予め設定された機能を実行する請求項６から９のいずれか一に記載の方法。
【請求項１１】
ユーザの指紋を検出する検出部を備えた電子機器を制御するコンピュータを、
前記検出部により検出した指紋が登録された複数の指紋のうち一の指紋である第１指紋と一致する場合、前記第１指紋に対応する機能である第１機能を実行し、前記検出部により検出した指紋が前記第１指紋と異なる第２指紋と一致する場合、前記第２指紋に対応しかつ前記第１機能とは異なる機能である第２機能を実行する制御部、
として機能させるためのプログラム。
【請求項１２】
前記制御部は、前記検出部により検出した指紋が前記登録された複数の指紋のいずれかと一致するか否かによりユーザの認証を実行し、
前記検出部により検出した指紋が前記第１指紋と一致してユーザの認証に成功した場合、ユーザの認証処理に続いて前記第１機能を実行し、
前記検出部により検出した指紋が前記第２指紋と一致してユーザの認証に成功した場合、ユーザの認証処理に続いて前記第２機能を実行し、
ユーザの認証を行っていない場合またはユーザの認証に失敗した場合、前記第１機能および前記第２機能の少なくとも一方の実行を制限する請求項１１に記載のプログラム。
【請求項１３】
前記制御部は、ユーザの認証に成功した場合、前記第１機能および前記第２機能の実行に先立って、前記登録された複数の指紋のうち、前記検出部により検出されかつユーザの認証に用いた指紋と一致する指紋に対応する機能を実行する請求項１１または１２に記載のプログラム。
【請求項１４】
前記制御部は、前記登録された複数の指紋それぞれに対応する機能として、前記登録された複数の機能それぞれに異なる機能を設定する請求項１１から１３のいずれか一に記載のプログラム。
【請求項１５】
前記制御部は、前記検出部により検出した指紋が前記登録された複数の指紋のいずれにも一致しなかった場合、予め設定された機能を実行する請求項１１から１４のいずれか一に記載のプログラム。
【発明の詳細な説明】
【技術分野】
【０００１】
本発明の実施形態は、電子機器、方法およびプログラムに関する。
【背景技術】
【０００２】
スマートフォンにおいて発生した事象を通知する機能、利用者の活動情報や睡眠状態（例えば、睡眠時間、睡眠の深さ等）等の生体情報を加速度センサ等を用いて検出する機能など、複数の機能を備えたウェアラブル端末がある。
【先行技術文献】
【特許文献】
【０００３】
【特許文献１】特開２００４−１６６０１１号公報
【発明の概要】
【発明が解決しようとする課題】
【０００４】
ところで、ウェアラブル端末には、利用用途の拡大並びに利用者情報の保護を目的として個人認証機能の搭載が求められている。また、ウェアラブル端末は、日常的に利用者によって身に着けられる特性から、当該ウェアラブル端末の筐体の小型化や軽量化が求められている。
【０００５】
本発明の一形態は、個人認証機能として追加される指紋センサを備えたウェアラブル端末を小型化および軽量化することができる電子機器、方法、およびプログラムを提供することを目的とする。
【課題を解決するための手段】
【０００６】
実施形態の電子機器は、検出部と、制御部と、を備える。検出部は、ユーザの指紋を検出する。制御部は、検出部により検出した指紋が登録された複数の指紋のうち一の指紋である第１指紋と一致する場合、第１指紋に対応する機能である第１機能を実行し、検出部により検出した指紋が第１指紋と異なる第２指紋と一致する場合、第２指紋に対応しかつ第１機能とは異なる機能である第２機能を実行する。
【図面の簡単な説明】
【０００７】
【図１】図１は、第１の実施形態にかかるウェアラブル端末の外観を示す図である。
【図２】図２は、第１の実施形態にかかるウェアラブル端末のハードウェア構成を示すブロック図である。
【図３】図３は、第１の実施形態にかかるウェアラブル端末による指紋の登録処理を説明するための図である。
【図４】図４は、第１の実施形態にかかるウェアラブル端末による各種機能の実行処理を説明するための図である。
【図５】図５は、第１の実施形態にかかるウェアラブル端末による指紋の登録処理の流れを示すフローチャートである。
【図６】図６は、第１の実施形態にかかるウェアラブル端末による対応機能の実行処理の流れを示すフローチャートである。
【図７】図７は、第２の実施形態にかかるウェアラブル端末による対応機能の設定処理の流れを示すフローチャートである。
【図８】図８は、第３の実施形態にかかるウェアラブル端末による機能の実行処理の流れを示すフローチャートである。
【発明を実施するための形態】
【０００８】
以下、添付の図面を用いて、本実施形態にかかる電子機器、方法およびプログラムを適用したウェアラブル端末について説明する。
【０００９】
（第１の実施形態）
図１は、第１の実施形態にかかるウェアラブル端末の外観を示す図である。本実施形態にかかるウェアラブル端末１は、図１に示すように、ユーザの身体の一部に装着可能な電子機器の一例である。また、ウェアラブル端末１は、当該ウェアラブル端末１を装着したユーザの生体情報（例えば、歩数や消費カロリー等の活動量、体温、発汗、脈拍、睡眠の深さ等）を検出可能である。本実施形態では、睡眠の深さは、ユーザ起きている覚醒、浅い眠り、および深い眠りのいずれの状態にあるかを示す。
【００１０】
さらに、ウェアラブル端末１は、図１に示すように、ユーザの生体情報の検出結果等の各種情報を表示可能な画面の一例である表示画面１１（例えば、ＬＣＤ：Liquid  Crystal  Displayや有機ＥＬ（Electro  Luminescence）ディスプレイ等）を有する表示部１０と、当該表示部１０の表示画面１１上でのタッチ操作の位置であるタッチ位置を検出可能なタッチセンサ１２と、ユーザの指紋を検出可能な検出部の一例である指紋センサ１３と、当該ウェアラブル端末１本体の側面に設けられかつ当該ウェアラブル端末１に対して各種操作を入力可能な操作ボタン１４と、を有している。すなわち、本実施形態では、表示部１０およびタッチセンサ１２は、所謂タッチパネルディスプレイとして機能する。
【００１１】
次に、図２を用いて、本実施形態にかかるウェアラブル端末１のハードウェア構成について説明する。図２は、第１の実施形態にかかるウェアラブル端末のハードウェア構成を示すブロック図である。
【００１２】
本実施形態にかかるウェアラブル端末１は、図２に示すように、図１を用いて説明した表示部１０、タッチセンサ１２、指紋センサ１３および操作ボタン１４に加えて、コントローラ１０１と、記憶部１０２と、生体情報センサ１０３と、通信部１０４と、を有する。
【００１３】
コントローラ１０１は、ＣＰＵ（Central  Processing  Unit）等により構成され、後述する記憶部１０２に記憶されたプログラムを実行することにより、ウェアラブル端末１が備える各部を制御する。本実施形態では、コントローラ１０１（制御部の一例）は、指紋センサ１３により検出した指紋が予め登録された複数の指紋のうち一の指紋である第１指紋と一致する場合には、当該第１指紋に対応する機能である第１機能を実行する。一方、コントローラ１０１は、指紋センサ１３により検出した指紋が予め登録された複数の指紋のうち第１指紋と異なる第２指紋と一致した場合には、当該第２指紋に対応しかつ第１機能とは異なる機能である第２機能を実行する。これにより、個人認証機能として追加された指紋センサ１３を、ウェアラブル端末１が備える機能の実行を指示するための手段として用いることができ、かつウェアラブル端末１が備えるいくつかのボタン等の操作部を削減することができるので、指紋センサ１３を備えたウェアラブル端末１を小型化および軽量化することができる。
【００１４】
記憶部１０２は、ＲＯＭ（Read  Only  Memory）やＲＡＭ（Random  Access  Memory）等により構成され、コントローラ１０１が実行するプログラム、コントローラ１０１がプログラムを実行する際に使用するデータ等の各種情報を記憶可能である。
【００１５】
生体情報センサ１０３は、ウェアラブル端末１を装着したユーザの生体情報（例えば、活動量、体温、発汗、脈拍、睡眠の深さ等）を検出可能である。通信部１０４は、無線通信によってスマートフォン等の外部機器と通信可能である。
【００１６】
次に、図３を用いて、本実施形態にかかるウェアラブル端末１による指紋の登録処理および各種機能の実行処理について説明する。図３は、第１の実施形態にかかるウェアラブル端末による指紋の登録処理を説明するための図である。
【００１７】
本実施形態では、コントローラ１０１は、指紋が登録されていない状態で、操作ボタン１４等の操作によってウェアラブル端末１の電源がオンされると、操作ボタン１４による操作に応じた機能の実行が許可されたボタン操作可能状態Ｓ０（言い換えると、予め登録された指紋のうち指紋センサ１３により検出された指紋と一致する指紋に対応する機能の実行が禁止（または制限）された状態）となる。本実施形態において、機能の実行を制限するとは、予め登録された複数の指紋それぞれに対応する機能のうち、少なくとも一部の機能の実行を禁止することを言う。ボタン操作可能状態Ｓ０に遷移すると、コントローラ１０１は、予め設定された登録指紋数ｎ（本実施形態では、スマートフォン等の外部機器から受信した登録指紋数ｎ）分の指紋の登録処理を開始する。
【００１８】
本実施形態では、コントローラ１０１は、ボタン操作可能状態Ｓ０に遷移後、指紋センサ１３により検出された指紋を記憶部１０２に記憶させることにより、当該検出された指紋の登録処理を実行する。コントローラ１０１は、登録指紋数ｎ分の指紋の登録処理が行われるまで、指紋センサ１３により検出された指紋の登録処理を繰り返す。その際、コントローラ１０１は、ウェアラブル端末１において実行可能な複数の機能のうち、登録処理を実行した指紋に設定可能な所定の機能である対応機能のいずれかを、登録処理を実行した指紋に対応する機能として設定する。本実施形態では、コントローラ１０１は、登録処理を行った指紋に対応付けて、当該指紋に設定した対応機能を示す機能情報を記憶部１０２に記憶させる。
【００１９】
コントローラ１０１は、登録指紋数ｎ分の指紋の登録処理が行われる前であって、指紋センサ１３により最後に指紋が検出されてから、新たな指紋が検出されずに所定時間経過した場合、指紋の登録が失敗したと判断して、記憶部１０２に記憶済みの指紋を消去する。一方、コントローラ１０１は、登録指紋数ｎ分の指紋の登録処理が実行された場合、指紋の登録が成功したと判断して、指紋センサ１３により検出された指紋に対応する対応機能を実行可能な指紋操作可能状態Ｓ１へと遷移する。
【００２０】
コントローラ１０１は、指紋操作可能状態Ｓ１へと遷移すると、操作ボタン１４によるユーザ操作に応じた機能の実行に加えて、登録処理を実行した複数の指紋のうち指紋センサ１３により検出された指紋と一致する指紋に対応する第１機能または第２機能の一例である対応機能（例えば、表示部１０の表示画面１１に対する各種情報の表示機能、ウェアラブル端末１の利用（操作）を中断させる機能、ウェアラブル端末１の利用（操作）を終了させる機能、スマートフォン等の外部機器に各種コマンドを送信する機能など）を実行する。
【００２１】
また、コントローラ１０１は、指紋操作可能状態Ｓ１へと遷移した後、指紋センサ１３により指紋が検出されない状態が所定時間続いて、指紋操作可能状態Ｓ１がタイムアウト（以下、無操作タイムアウトと言う）した場合、指紋センサ１３により検出した指紋に対応する対応機能の実行を禁止（または制限）する認証解除状態Ｓ２（言い換えると、操作不可状態）へと遷移する。認証解除状態Ｓ２においては、コントローラ１０１は、操作ボタン１４による操作に応じた機能および指紋センサ１３により検出された指紋に対応する対応機能の実行を禁止する。これにより、指紋操作可能状態Ｓ１に遷移してから指紋センサ１３を用いて対応機能を実行させた後、自動的に認証解除状態Ｓ２へと遷移させることができるので、ウェアラブル端末１の利便性を向上させることができ、かつ指紋センサ１３に意図せず触れた場合に対応機能が実行されることを防止できる。
【００２２】
次に、図４を用いて、本実施形態にかかるウェアラブル端末１による各種機能の実行処理について説明する。図４は、第１の実施形態にかかるウェアラブル端末による各種機能の実行処理を説明するための図である。
【００２３】
本実施形態では、コントローラ１０１は、指紋が既に登録されている状態で、操作ボタン１４が操作されてウェアラブル端末１の電源がオンされると、認証解除状態Ｓ２となる。その後、指紋センサ１３によって指紋が検出されると、コントローラ１０１は、検出された指紋を用いてユーザの認証処理を実行する。本実施形態では、コントローラ１０１は、検出された指紋が登録処理を実行した複数の指紋のいずれかと一致するか否かによってユーザの認証処理を実行する。
【００２４】
本実施形態では、コントローラ１０１は、指紋センサ１３により検出した指紋が登録処理を実行した複数の指紋のいずれかと一致するか否かによってユーザの認証処理を実行しているが、指紋センサ１３により検出した指紋を用いてユーザの認証処理を実行するものであれば、これに限定するものではない。例えば、コントローラ１０１は、指紋センサ１３により検出された指紋と、スマートフォン等の外部機器から受信した指紋とが一致するか否かによってユーザの認証処理を実行しても良い。
【００２５】
そして、コントローラ１０１は、ユーザの認証処理を行っていない場合、または指紋センサ１３により検出した指紋が登録処理を実行した複数の指紋のいずれにも一致せずユーザの認証処理に失敗した場合、認証解除状態Ｓ２を維持する。これにより、ユーザの認証処理を行っていない場合またはユーザの認証処理に失敗した場合には、指紋センサ１３を、ウェアラブル端末１が備える機能の実行を指示するための手段として用いることができないので、他人によって指紋センサ１３を用いたウェアラブル端末１の操作が行われることを防止できる。
【００２６】
一方、コントローラ１０１は、指紋センサ１３により検出した指紋が登録処理を実行した複数の指紋のいずれかと一致してユーザの認証処理に成功した場合、指紋操作可能状態Ｓ１へと遷移する。すなわち、コントローラ１０１は、ユーザの認証処理に成功した場合には、ユーザの認証処理に続いて、登録処理を実行した複数の指紋のうち、指紋センサ１３により検出した指紋と一致する指紋に対応する対応機能を実行する。
【００２７】
コントローラ１０１は、指紋操作可能状態Ｓ１へと遷移した後、無操作タイムアウトした場合、再び、指紋センサ１３により検出した指紋に対応する機能の実行を禁止する認証解除状態Ｓ２へと遷移させる。
【００２８】
次に、図５を用いて、本実施形態にかかるウェアラブル端末１による指紋の登録処理の流れについて説明する。図５は、第１の実施形態にかかるウェアラブル端末による指紋の登録処理の流れを示すフローチャートである。
【００２９】
コントローラ１０１は、指紋が登録されていない状態で、操作ボタン１４が操作されてウェアラブル端末１の電源がオンされると、ボタン操作可能状態Ｓ０に遷移するとともに、通信部１０４を介して、スマートフォン等の外部機器から送信された登録指紋数ｎを受信する（ステップＳ５０１）。さらに、コントローラ１０１は、受信した登録指紋数ｎ分の指紋の登録処理を開始する。本実施形態では、コントローラ１０１は、スマートフォン等の外部機器から登録指紋数ｎを受信しているが、これに限定するものではなく、例えば、操作ボタン１４から登録指紋数ｎが入力され、当該入力された登録指紋数ｎ分の指紋の登録処理を行うようにしても良い。
【００３０】
コントローラ１０１は、指紋センサ１３により検出した一つの指紋の登録処理を実行する度に、登録指紋数ｎが「０」より大きいか否かを判断する（ステップＳ５０２）。コントローラ１０１は、登録指紋数ｎが「０」より大きい場合（ステップＳ５０２：Ｙｅｓ）、指紋センサ１３により検出した指紋の登録処理を実行する（ステップＳ５０３）。次いで、コントローラ１０１は、登録処理を実行した指紋に対して対応機能を設定するか否かを判断する（ステップＳ５０４）。本実施形態では、コントローラ１０１は、一つの指紋の登録処理を実行する度に、表示部１０の表示画面１１に対して、登録処理を実行した指紋に対して対応機能を設定するか否かを指示するための指示画像を表示させる。本実施形態では、コントローラ１０１は、ウェアラブル端末１が備える表示画面１１に対して指示画像を表示させているが、スマートフォン等の外部機器の表示部に対して指示画像を表示させても良い。
【００３１】
そして、コントローラ１０１は、指示画像を用いて対応機能を設定することが指示された場合（ステップＳ５０４：Ｙｅｓ）、登録処理を実行した指紋に対して対応機能を設定する（ステップＳ５０５）。その際、コントローラ１０１は、登録処理を実行する指紋毎に異なる対応機能を設定する。例えば、コントローラ１０１は、複数の対応機能のうち当該各対応機能に予め設定された順番が早い対応機能から順に、登録処理を実行した指紋の対応機能に設定する。または、コントローラ１０１は、複数の対応機能を選択するための選択画像を表示画面１１（または、スマートフォン等の外部機器が備える表示部）に表示させ、当該選択画像を用いて選択された対応機能を、登録処理を実行した指紋の対応機能に設定しても良い。その際、コントローラ１０１は、複数の対応機能のうち、登録処理を実行した指紋に対して既に設定済みの対応機能の選択を禁止する。これにより、コントローラ１０１は、登録処理を実行した複数の指紋それぞれに対応する対応機能として、当該登録処理を実行した複数の指紋それぞれに異なる対応機能を設定する。
【００３２】
次に、コントローラ１０１は、指示画像を用いて対応機能を設定することが指示されなかった場合（ステップＳ５０４：Ｎｏ）または登録処理を実行した指紋に対して対応機能が設定された後（ステップＳ５０５）、登録指紋数ｎから「１」減算して（ステップＳ５０６）、ステップＳ５０２に戻り、再び、登録指紋数ｎが「０」より大きいか否かを判断する。コントローラ１０１は、登録指紋数ｎが「０」以下である場合（ステップＳ５０２：Ｎｏ）、指紋の登録処理を終了させ、指紋操作可能状態Ｓ１へと遷移する。
【００３３】
本実施形態では、ウェアラブル端末１において指紋の登録処理および当該登録処理を実行した指紋に対応する対応機能の設定処理を行っているが、これに限定するものではなく、スマートフォン等の外部機器において指紋の登録処理および当該登録処理を実行した指紋に対応する対応機能の設定処理を行っても良い。
【００３４】
次に、図６を用いて、本実施形態にかかるウェアラブル端末１による対応機能の実行処理の流れについて説明する。図６は、第１の実施形態にかかるウェアラブル端末による対応機能の実行処理の流れを示すフローチャートである。
【００３５】
コントローラ１０１は、指紋が既に登録されている状態で、操作ボタン１４が操作されてウェアラブル端末１の電源がオンされた後、ユーザの認証処理に成功すると、指紋操作可能状態Ｓ１へと遷移する。
【００３６】
本実施形態では、コントローラ１０１は、指紋操作可能状態Ｓ１に遷移した場合（すなわち、ユーザの認証処理に成功した場合）、登録処理を実行した複数の指紋のうち指紋センサ１３により新たに検出される指紋と一致する指紋に対応する対応機能（第１機能または第２機能）の実行に先立って、所定の機能を実行する。または、コントローラ１０１は、前回、指紋操作可能状態Ｓ１に遷移した際に最後に実行された機能を実行する。または、コントローラ１０１は、登録処理を実行した複数の指紋のうち、指紋センサ１３により検出されかつユーザの認証処理に用いた指紋と一致する指紋に対応する対応機能を実行する。これにより、ユーザの認証に成功した場合に、再度、指紋センサ１３により指紋を検出させることなく対応機能を実行させることができるので、ウェアラブル端末１の利便性を向上させることができる。また、コントローラ１０１は、指紋操作可能状態Ｓ１に遷移した場合、所定の画面（例えば、ＵＩの画像など）を表示画面１１に表示させても良い。または、コントローラ１０１は、指紋操作可能状態Ｓ１に遷移した場合、前回、指紋操作可能状態Ｓ１に遷移した際に最後に表示された画面を表示画面１１に表示させても良い。または、コントローラ１０１は、指紋操作可能状態Ｓ１に遷移した場合、指紋センサ１３により検出されかつユーザの認証処理に用いた指紋と一致する指紋に対応する対応機能に関する画面を表示画面１１に表示させても良い。
【００３７】
その後、コントローラ１０１は、指紋センサ１３によって指紋が新たに検出されるのを待つ（ステップＳ６０１）。指紋センサ１３により指紋が検出されると（ステップＳ６０１：Ｙｅｓ）、コントローラ１０１は、検出された指紋が、登録処理を実行した複数の指紋のいずれかと一致するか否かを判定する（ステップＳ６０２）。
【００３８】
コントローラ１０１は、検出された指紋が登録処理を実行した複数の指紋のいずれかと一致した場合（ステップＳ６０３：Ｙｅｓ）、登録処理を実行した複数の指紋のうち、指紋センサ１３により検出した指紋と一致する指紋に対応する対応機能を実行する（ステップＳ６０４）。コントローラ１０１は、無操作タイムアウトするまで、指紋センサ１３によって指紋が検出される度に、登録処理を実行した複数の指紋のうち、検出した指紋と一致する指紋に対応する対応機能の実行を繰り返す。
【００３９】
具体的には、コントローラ１０１は、指紋センサ１３によって検出した指紋が、登録処理を実行した複数の指紋のうち一の指紋と一致した場合、記憶部１０２から、登録処理を実行した指紋のうち、指紋センサ１３により検出した指紋と一致する指紋と対応付けて記憶された機能情報を読み出す。そして、コントローラ１０１は、読み出した機能情報が示す対応機能を実行する。すなわち、コントローラ１０１は、指紋センサ１３により検出された指紋毎に異なる対応機能を実行する。これにより、個人認証機能として追加された指紋センサ１３を、ウェアラブル端末１が備える機能の実行を指示するための手段として用いることができるので、指紋センサ１３を備えたウェアラブル端末１を小型化および軽量化することができる。
【００４０】
一方、コントローラ１０１は、指紋センサ１３により検出された指紋が登録処理を実行した指紋のいずれとも一致しないと判定した場合（ステップＳ６０３：Ｎｏ）、登録処理を実行した指紋に対応する対応機能の実行を禁止し、予め設定された機能を実行する（ステップＳ６０５）。例えば、コントローラ１０１は、ウェアラブル端末１において実行可能な複数の機能のうち、登録処理を実行した指紋に対応する対応機能以外の機能を実行する。これにより、ユーザの認証処理に失敗した場合には、予め設定された機能しか実行されないので、ウェアラブル端末１のセキュリティ性を向上させることができる。
【００４１】
このように第１の実施形態にかかるウェアラブル端末１によれば、個人認証機能として追加された指紋センサ１３をウェアラブル端末１が備える機能の実行を指示するための手段として用いることができるので、指紋センサ１３を備えたウェアラブル端末１を小型化および軽量化することができる。
【００４２】
また、コントローラ１０１は、予め登録された複数の指紋のうち同じ種類の指の指紋（例えば、右手の人差し指の指紋と左手の人差し指の指紋）に対して同一の対応機能を設定する。これにより、同じ種類の指のうち一方の指（例えば、右手の人差し指）を指紋センサ１３に接触させることができない場合（例えば、右手にウェアラブル端末１を装着した場合）でも、他方の指（例えば、左手の人差し指）を指紋センサ１３に接触させることにより、当該一方の指の指紋に対応する対応機能を実行させることができるので、指紋センサ１３を利用して対応機能を実行させる際のウェアラブル端末１の利便性を向上させることができる。
【００４３】
（第２の実施形態）
本実施形態は、登録指紋数分の指紋の登録処理が実行された後に、当該登録処理を実行した指紋に対する対応機能の設定を行う例である。以下の説明では、第１の実施形態と同様の箇所については説明を省略する。
【００４４】
図７は、第２の実施形態にかかるウェアラブル端末による対応機能の設定処理の流れを示すフローチャートである。本実施形態では、コントローラ１０１は、登録指紋数ｎ分の指紋の登録処理を実行した後、通信部１０４を介して、スマートフォン等の外部機器から送信された対応機能数ｍを受信する（ステップＳ７０１）。ここで、対応機能数ｍは、登録処理を実行した指紋に対して設定する対応機能の数であって、登録指紋数ｎ以下の数である。
【００４５】
コントローラ１０１は、登録処理を実行した１つの指紋に対する対応機能の設定を終える度に、対応機能数ｍが「０」より大きいか否かを判断する（ステップＳ７０２）。コントローラ１０１は、対応機能数ｍが「０」より大きい場合（ステップＳ７０２：Ｙｅｓ）、登録処理を実行した複数の指紋のうち、対応機能が設定されていない指紋に対して、対応機能を設定する（ステップＳ７０３）。その際、コントローラ１０１は、登録処理を実行した複数の指紋それぞれに異なる対応機能を設定する。
【００４６】
本実施形態では、コントローラ１０１は、第１の実施形態と同様に、例えば、各対応機能に予め設定された順番が早い対応機能から順に、登録処理を実行した指紋の対応機能に設定する。または、コントローラ１０１は、複数の対応機能を選択するための選択画像を表示画面１１（または、スマートフォン等の外部機器の表示部）に表示させ、当該選択画像を用いて選択された対応機能を、登録処理を実行した指紋の対応機能に設定しても良い。その際、コントローラ１０１は、複数の対応機能のうち、登録処理を実行した指紋に対して既に設定済みの対応機能の選択を禁止する。これにより、コントローラ１０１は、登録処理を実行する各指紋に対して異なる対応機能を設定することが可能となる。
【００４７】
コントローラ１０１は、登録処理を実行した１つの指紋に対して対応機能を設定する度に、対応機能数ｍから「１」減算して（ステップＳ７０４）、ステップＳ７０２に戻り、再び、対応機能数ｍが「０」より大きいか否かを判断する。コントローラ１０１は、対応機能数ｍが「０」以下である場合（ステップＳ７０２：Ｎｏ）、対応機能の設定を終了させ、指紋操作可能状態Ｓ１へと遷移する。
【００４８】
このように第２の実施形態にかかるウェアラブル端末１によれば、登録処理を実行した複数の指紋それぞれに対する対応機能の設定をまとめて行うことができるので、対応機能の設定作業の効率化を図ることができる。
【００４９】
（第３の実施形態）
本実施形態は、指紋センサにより検出した指紋を用いたユーザの認証処理が実行されなかった場合における、指紋センサによる指紋の検出に応じた、ウェアラブル端末１の機能の実行例である。以下の説明では、第１の実施形態と同様の箇所については説明を省略する。
【００５０】
図８は、第３の実施形態にかかるウェアラブル端末による機能の実行処理の流れを示すフローチャートである。本実施形態では、コントローラ１０１は、ユーザの認証処理を実行しない場合、操作ボタン１４が操作されてウェアラブル端末１の電源がオンされると、直ちに、指紋操作可能状態Ｓ１に遷移し、指紋センサ１３によって指紋が検出されるのを待つ（ステップＳ８０１）。その後、指紋センサ１３により指紋が検出されると（ステップＳ８０１：Ｙｅｓ）、コントローラ１０１は、ウェアラブル端末１が有する複数の機能のうち、予め設定された機能（例えば、登録処理を実行した複数の指紋に対応する対応機能以外の単一の機能など）を実行する（ステップＳ８０２）。
【００５１】
このように第３の実施形態にかかるウェアラブル端末１によれば、指紋センサ１３により検出した指紋を用いたユーザの認証処理が実行されなかった場合、予め設定された機能しか実行されないので、ウェアラブル端末１のセキュリティ性を向上させることができる。
【００５２】
以上説明したとおり、第１から第３の実施形態によれば、指紋センサ１３を備えたウェアラブル端末１を小型化および軽量化することができる。
【００５３】
なお、本実施形態のウェアラブル端末１で実行されるプログラムは、ＲＯＭ等に予め組み込まれて提供されるが、これに限定するものではなく、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００５４】
さらに、本実施形態のウェアラブル端末１で実行されるプログラムを、インターネット等のネットワークに接続されたコンピュータ上に格納し、ネットワーク経由でダウンロードさせることにより提供するように構成しても良い。また、本実施形態のウェアラブル端末１で実行されるプログラムをインターネット等のネットワーク経由で提供または配布するように構成しても良い。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１  ウェアラブル端末
１０  表示部
１１  表示画面
１２  タッチセンサ
１３  指紋センサ
１４  操作ボタン
１０１  コントローラ
１０２  記憶部
１０３  生体情報センサ
１０４  通信部
【図１】
2016012225.tif 000003
【図２】
2016012225.tif 000004
【図３】
2016012225.tif 000005
【図４】
2016012225.tif 000006
【図５】
2016012225.tif 000007
【図６】
2016012225.tif 000008
【図７】
2016012225.tif 000009
【図８】
2016012225.tif 000010